(57)【特許請求の範囲】
【請求項１】
工作機械の直動体の移動にともなって、直動体移動方向に伸縮させられる伸縮カバー装置であって、
直動体移動方向に平行する後向き平坦状支持面が支持体に設けられており、横断面逆Ｌ字状に形成された後側カバーが、後側短小板状部および後側長大板状部よりなり、
後側短小板状部は、前記支持面側に向けられた前縁部を有しかつ前記支持面に対して直交させられており、
後側長大板状部は、後側短小板状部の後縁部に連なって前記支持面に対して平行させられており、
前記支持面および後側長大板状部前面間に、平板状前側カバーが前記支持面と平行して介在させられており、
前記前側カバーは、後側カバーを直動体移動方向に移動自在に支持しており、
前記支持体の前記支持面は、前記前側カバーを直動体移動方向に移動自在に支持している支持手段を備えており、
後側カバーおよび前記前側カバー間に中間カバーが介在させられており、
中間カバーは、横断面逆Ｌ字状をなすものであって、中間短小板状部および中間長大板状部よりなり、
中間短小板状部に、後側カバーの後側短小板状部が直動体移動方向に相対移動自在に支持されており、
中間長大板状部に、直動体移動方向にのびた中間ガイド溝が形成されており、
中間ガイド溝の上縁部に、前記前側カバーに支持された後向きの中間折曲縁部が設けられている伸縮カバー装置。
【請求項２】
前記後側カバーの後側に、これとは別の追加の後側カバーが前記後側カバー厚み方向に重ね合わされており、追加の後側カバーは、前記後側カバーに直動体移動方向に移動自在に支持されている請求項１に記載の伸縮カバー装置。
【請求項３】
前記前側カバーに、直動体移動方向にのびた前側ガイド溝が形成されており、支持手段は、支持部材を有しており、支持部材は、前記支持面から後方に突出させられかつ前側ガイド溝に直動体移動方向に相対移動自在にはめ入れられている請求項１または２に記載の伸縮カバー装置。
【請求項４】
前記前側カバーの後側に、これとは別の追加の前側カバーが前記前側カバー厚み方向に重ね合わされており、追加の前側カバーは、前記前側カバーに直動体移動方向に移動自在に支持されている請求項１〜３のいずれか１つに記載の伸縮カバー装置。
【請求項５】
前側ガイド溝の上縁部に後向き前側折曲縁部が設けられており、追加の前側カバーに、直動体移動方向にのびた追加の前側ガイド溝が形成されており、前側折曲縁部は、支持部材上に重ね合わされた状態で、支持部材とともに追加の前側ガイド溝に直動体移動方向に相対移動自在にはめ入れられている請求項４に記載の伸縮カバー装置。
【発明の詳細な説明】
【技術分野】
【０００１】
この発明は、例えば、工作機械の刃物台の移動にともなって伸縮させられる伸縮カバー装置に関する。
【背景技術】
【０００２】
この種の伸縮カバー装置としては、図６に示すように、１つの垂直板状固定カバー121と、各々、断面逆L字の相似状をなしかつ固定カバーの後側にカバー厚み方向に重ね合わされている複数の断面逆Ｌ字状可動カバー131〜143とよりなるものが知られている。固定カバー131の下縁部には、断面逆Ｌ字状折曲縁部151が後方突出状に設けられている。折曲縁部151の上面に最前位の可動カバー131の折曲頂部が支持されている。隣り合う２つの可動カバー131〜143の頂部間と、折曲縁部151および最前位の可動カバー131の頂板間とは、空白として示されているが、摺動部材（図示略）が介在させられている。
【０００３】
最前位の可動カバー131が折曲縁部151にそって、紙面直交方向に移動させられると、これに連動として、全可動カバー131〜143が、前後隣り合うもの同士係合し合い、前側のものから後側のものにかけて、順次連れ立って、移動させられるようになっている。
【０００４】
折曲縁部151は、板金加工によって形成されたものである。全可動カバー131〜143の頂部もまた板金加工によって形成されたものである。折曲縁部151を、無理の無い曲げ加工を行うためには、最小曲げ寸法Hが必要である。例えば、最小曲げ寸法は、H＝R＋3tのように設定される。ここに、R：内側曲げ半径、t：板厚である。折曲縁部151の突出高さが最小曲げ寸法Hに設定されると、これに対応するように、最前位の可動カバー131の折曲頂部の前後方向の大きさが設定される。
【０００５】
固定および可動カバーの枚数を一定とし、カバー装置全体の後前方向の厚みを小さくするためには、折曲縁部151の突出高さをできるだけ小さくすることが望ましいが、これは、最小曲げ寸法Hを確保するための必要性から、限界があった。装置全体の厚みが大きいと、周辺装置に制約条件ができてしまうことになる。
【０００６】
他の伸縮カバー装置として、特許文献１に開示されているものが知られている。特許文献１に開示のカバー装置は、上記において説明した伸縮カバー装置と類似の構成を採用しているため、この伸縮カバー装置においても、装置全体の厚みを薄くすることはできなかった。
【先行技術文献】
【特許文献】
【０００７】
【特許文献１】特開２０１０−５８２３３号公報
【発明の概要】
【発明が解決しようとする課題】
【０００８】
この発明の目的は、装置全体の厚みを薄くすることのできる伸縮カバー装置を提供することにある。
【課題を解決するための手段】
【０００９】
この発明による伸縮カバー装置は、工作機械の直動体の移動にともなって、直動体移動方向に伸縮させられる伸縮カバー装置であって、直動体移動方向に平行する後向き平坦状支持面が支持体に設けられており、横断面逆Ｌ字状に形成された後側カバーが、後側短小板状部および後側長大板状部よりなり、後側短小板状部は、前記支持面側に向けられた前縁部を有しかつ前記支持面に対して直交させられており、後側長大板状部は、後側短小板状部の後縁部に連なって前記支持面に対して平行させられており、前記支持面および後側長大板状部前面間に、平板状前側カバーが前記支持面と平行して介在させられており、前記前側カバーは、後側カバーを直動体移動方向に移動自在に支持しており、前記支持体の前記支持面は、前記前側カバーを直動体移動方向に移動自在に支持している支持手段を備えており、後側カバーおよび前記前側カバー間に中間カバーが介在させられており、中間カバーは、横断面逆Ｌ字状をなすものであって、中間短小板状部および中間長大板状部よりなり、中間短小板状部に、後側カバーの後側短小板状部が直動体移動方向に相対移動自在に支持されており、中間長大板状部に、直動体移動方向にのびた中間ガイド溝が形成されており、中間ガイド溝の上縁部に、前記前側カバーに支持された後向きの中間折曲縁部が設けられているものである。
【００１０】
この発明による伸縮カバー装置では、支持体および後側カバーによって区画されたスペースに前記前側カバーが収容されるようになっている。前記前側カバーを板金加工する上で、前記前側カバーの短小板状部の後前方向の寸法に制約されても、その前後方向の寸法が大きくなればなるだけ、そのスペースに多くの前記前側カバーを収容することができる。
【００１１】
前記前側および後側カバーを合わせた枚数を一定とするとき、前記前側カバーの数が増えるだけ、後側カバーの数を減らすことができる。したがって、板金加工の最小曲げ寸法に節約されることなく、カバー全体の厚みを小さくすることができる。
【００１２】
さらに、後側カバーに対して中間短小板状部が面接触させられるとともに、前記前側カバーに対して中間折曲縁部がそれぞれ面接触させられた状態で、後側カバー、前記前側カバーおよび中間カバーがそれぞれ自由に移動させられる。したがって、伸縮カバー装置の伸縮動作をスムーズに行うことができる。
【００１３】
また、後側カバーの後側に、これとは別の追加の後側カバーが後側カバー厚み方向に重ね合わされており、追加の後側カバーは、後側カバーに直動体移動方向に移動自在に支持されていると、後側カバーによって追加の後側カバーを安定姿勢に支持することができる。
【００１４】
また、前記前側カバーに、直動体移動方向にのびた前側ガイド溝が形成されており、支持手段は、支持部材を有しており、支持部材は、前記支持面から後方に突出させられかつ前側ガイド溝に直動体移動方向に相対移動自在にはめ入れられていると、支持部材によって前記前側カバーを安定姿勢に支持することができる。
【００１５】
また、前記前側カバーの後側に、これとは別の追加の前側カバーが前記前側カバー厚み方向に重ね合わされており、追加の前側カバーは、前記前側カバーに直動体移動方向に移動自在に支持されていると、前記前側カバーによって追加の前側カバーを安定姿勢に支持することができる。
【００１６】
また、前側ガイド溝の上縁部に後向き前側折曲縁部が設けられており、追加の前側カバーに、直動体移動方向にのびた追加の前側ガイド溝が形成されており、前側折曲縁部は、支持部材上に重ね合わされた状態で、支持部材とともに追加の前側ガイド溝に直動体移動方向に相対移動自在にはめ入れられていると、支持部材によって、前記前側カバーとともに追加の前側カバーを安定姿勢に支持することができる。
【発明の効果】
【００１７】
この発明によれば、装置全体の厚みを薄くすることのできる伸縮カバー装置が提供される。
【図面の簡単な説明】
【００１８】
【図１】この発明によるカバー装置およびその周辺部をその前方から見た斜視図である。
【図２】同カバー装置を後方から見た分解斜視図である。
【図３】図２の一部拡大斜視図である。
【図４】図３とは別の部分である図２の一部拡大斜視図である。
【図５】同カバー装置の要部垂直断面図である。
【図６】従来例によるカバー装置の図５相当断面図である。
【発明を実施するための形態】
【００１９】
以下の説明において、前後とは、全図面を通じて矢印Ａで示す側を前、これと反対側を後といい、左右とは、前方より見て、その左右の側を左右というものとする。
【００２０】
図１は、ケーシング11と、これに収容されている刃物台12とを、前方左斜め上から見たものである。
【００２１】
ケーシング11の前側壁には、左右方向に長い略方形状窓13およびこれを取り囲む窓枠14が設けられている。刃物台12は、窓13の左右方向中央部を前後方向に横切る前後方向にのびた回転軸Lを有しかつガイドレール（図示略）に左右方向移動自在に支持されている。窓13の刃物台左側には左伸縮カバー装置15が、その右側には右伸縮カバー装置16がそれぞれ被覆されている。左右の伸縮カバー装置15、16は、左右の向きは逆であるが、同一構造のものである。以下、左伸縮カバー装置15について説明する。
【００２２】
図２は、伸縮カバー装置15を前後方向に分解した列を、図１とは前後逆に、後方左斜め上から見たものである。
【００２３】
伸縮カバー装置15は、最前列の固定カバー21と、固定カバー21の後方に順次並べられている第１〜第１３可動カバー31〜43とよりなる。固定カバー21および全可動カバーは、ともに、前方から見て、略逆Ｌ字板状のものである。固定カバー21の後側に第１可動カバー31〜第１３可動カバー31〜43がこの順に順次重ね合わされている。
【００２４】
固定カバー21の垂直部下端には樋状受け21Aが設けられるとともに、第１３可動カバー43を除いて、第１〜第１２可動カバー31〜42の垂直部下端には樋状受け31A〜42Aがそれぞれ設けられている。固定カバー21の受け21Aに第１可動カバー31の受け31Aがはめ入れられ、これにより、第１可動カバー31下端部の前後方向の揺動が防止されるようになっている。全可動カバー31〜43の前後隣り合うもの同士を通じて、前側の可動カバーの受け31A〜41Aに後側の可動カバーの受け32A〜42Aがはめて入れられ、これにより、全可動カバー31〜43の前後方向の揺動が防止されるようになっている。
【００２５】
固定カバー21は、窓枠14に固定されていて、全可動カバー31〜43の支持体を構成している。第１３可動カバー43は、刃物台12に固定されている。刃物台12の左右動とともに第１３可動カバー43が左右動させられ、第１３可動カバー43の左右動に、残りの第１〜第１２可動カバー31〜42が連れ立って左右動させられ、これにより、全可動カバー31〜43が伸縮させられるようになっている。
【００２６】
全可動カバー31〜43は、前側カバー群51Fおよび後側カバー群51Rと、これらのカバー群51F、51Rをつないでいる単体の中間カバー51Mとよりなる。前側カバー群51Fは、第１〜第３可動カバー31〜33によって構成されている。第４可動カバー34によって、中間カバー51Mが構成されている。後側カバー群51Rは、第５〜第１３可動カバー35〜43によって構成されている。
【００２７】
図３は、図２の一部を拡大して示すもので、固定カバー21および前側カバー群51Fの第１〜第３可動カバー31〜33を詳細に示すものである。
【００２８】
固定カバー21は、垂直板状のもので、後向き側面を平坦状支持面21Bとするものである。支持面21Bの水平部下縁部にこれにそって左右方向にのびた水平レール状支持部材61が前側カバー群51Fを支持する支持手段として固定されている。
【００２９】
第１〜第３可動カバー31〜33は、全体的に、略垂直平板状に形成されている。第１〜第３可動カバー31〜33水平部の高さの中程には、左右方向にのびた水平スリット状第１〜第３ガイド溝71〜73がそれぞれ形成されている。第１〜第３ガイド溝71〜73の上縁部には後向き第１〜第３折曲縁部81〜83がそれぞれ設けられている。
【００３０】
図４は、図３とは別の部分である図２の一部を拡大して示すもので、中間カバー51Mおよび後側カバー群51Rの第４〜第７可動カバー34〜37の詳細を示すものである。
【００３１】
第４〜第７可動カバー34〜37は、板金加工によって、全体的に、略垂直断面逆Ｌ字状に折曲げ成形されたものである。第８〜第１３可動カバー38〜43についても同様である。第４〜第７可動カバー34〜37を代表するものとして、第４可動カバー34について説明すると、これは、水平帯状短小状頂板34Bおよび垂直帯状長大状側板34Cを有している。
【００３２】
第７可動カバー37を除いて、第４〜第６可動カバー34〜36水平部の高さの中程には、左右方向にのびた水平スリット状第４〜第６ガイド溝74〜76がそれぞれ形成されている。第４〜第６ガイド溝74〜76のうち、第４ガイド溝74の上縁部にのみ後向き第４折曲縁部84が設けられている。第７可動カバー37には、上記ガイド溝71〜76および折曲縁部81〜84に相当するガイド溝および折曲縁部は無い。第８〜第１３可動カバー38〜43については、詳細に図示しないが、第７可動カバー37と同様に、上記ガイド溝74〜76および折曲縁部81〜84に相当するものは無い。
【００３３】
図５は、固定カバー21および第１〜第１３可動カバー31〜43を、これらを重ね合わせた状態で、支持部材61およびその周辺部を示すものである。
【００３４】
第１〜第３可動カバー31〜33は、同一高さのものである。固定カバー21の支持面21Bに第１〜第３可動カバー31〜33がこの順に重ね合わされている。第１ガイド溝71には支持部材61が相対的摺動自在にはめ合わされている。第１折曲縁部81は、支持部材61の上面に載せられて、その後縁部を後方に突出させている。第２ガイド溝72には、支持部材61および第１折曲縁部81が第１摺動部材91を介して相対的摺動自在にはめ合わされている。第３ガイド溝73には、支持部材61と、第１および第２折曲縁部81、82とが第１および第２摺動部材91、92を介して相対的摺動自在にはめ合わされている。第４ガイド溝74には、支持部材61と、第１〜第３折曲縁部81〜83とが第１〜第３摺動部材91〜93を介して摺動自在にはめ合わされている。第５および第６ガイド溝75、76の高さは、同一である。第５および第６ガイド溝75、76には、支持部材61と、第１〜第４折曲縁部81〜84が第１〜第３摺動部材91〜93を介してはめ入れられている。第１〜第４折曲縁部81〜84の先端は揃っている。
【００３５】
第４可動カバー34の頂板34Bに、第５可動カバー35の頂板が第４摺動部材94を介して支持されている。第５可動カバー35の頂板に、第６可動カバー36の頂板が第５摺動部材95を介して支持されている。以下、第６可動カバー36の外側に、第７〜第１３可動カバー37〜43がそれぞれのカバー厚み方向に順次重ね合わされている。第６〜第１３可動カバー36〜43の隣り合うもの同士の頂板間には第６〜第１２摺動部材96〜102がそれぞれ介在させられている。
【００３６】
上記構成において、第４可動カバー34の厚み、すなわち、第４可動カバー34の頂板34Bの前後方向の長さが、最小曲げ寸法Hとして、設定されている。そして、固定カバー21および第４可動カバー34によって区画されたスペースに、第１〜第３可動カバー31〜33が収容されている。その結果、冒頭で説明した従来技術によるカバー装置の前後方向の厚みと比較して、４枚の第１〜第４可動カバー31〜34の厚みに相当するだけ、上記構成によるカバー装置の前後方向の厚みが小さくなっている。
【００３７】
上記において、前側カバー群51Fおよび後側カバー群51Rが複数ずつのカバーによって構成されているが、その数は、いずれも、１または２以上としてもよく、カバー装置によってカバーすべき面積、カバー移動距離、カバー板厚等の条件によって適宜選択される。
【００３８】
また、前側カバー群51Fを構成している第１〜第３可動カバー31〜33には第１〜第３ガイド溝71〜73が形成され、これに、支持部材61が挿入されるという支持構造を採用しているが、この支持構造に限定されない。これに代わる支持構造として、例えば、第１〜第３ガイド溝71〜73の下端面が支持部材61の上面で直接的に摺動自在に受けられ、第１〜第３ガイド溝71〜73の上端面に、第４〜第１３可動カバー34〜43の短小状頂板が直接的に摺動自在に載せられるようにしてもよい。そうすると、第１〜第６ガイド溝71〜76、第１〜第４折曲縁部81〜84等を必ずしも設ける必要はない。
【産業上の利用可能性】
【００３９】
この発明による伸縮カバー装置は、工作機械の刃物台の移動にともなって伸縮させられることを達成するのに適している。
【符号の説明】
【００４０】
12  直動体
21  支持体
21B  支持面
31  前側カバー
34  中間カバー
34B  短小板状部
34C  長大板状部
35  後側カバー
61  支持手段
【図１】
0005846949.tif 000002
【図２】
0005846949.tif 000003
【図３】
0005846949.tif 000004
【図４】
0005846949.tif 000005
【図５】
0005846949.tif 000006
【図６】
0005846949.tif 000007